【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
通電によって発熱し、横方向（Ｗ）に並んで配置された複数のＰＴＣ素子（２）と、
前記ＰＴＣ素子の、前記横方向に直交する積層方向（Ｈ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備え、
前記樹脂プレートを、凸部（５１）を有する凸部形成部材（１１）とし、かつ前記電極板又は前記放熱フィンを、前記凸部と接触する凸部接触部材（１２）としたとき、
前記凸部は、前記凸部形成部材の前記積層方向の表面（５０１）における、複数の前記ＰＴＣ素子の配置部位をそれぞれ前記積層方向に投影した複数の投影範囲（Ｒ）内にそれぞれ設けられており、
全ての前記投影範囲内における前記凸部が前記凸部接触部材によって塑性変形した変形部（５１１）を有する、電気式ヒータ（１）。
【請求項２】
通電によって発熱し、横方向（Ｗ）に並んで配置された複数のＰＴＣ素子（２）と、
前記ＰＴＣ素子の、前記横方向に直交する積層方向（Ｈ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備え、
前記電極板又は前記放熱フィンを、凸部（３１，４１）を有する凸部形成部材（１１）とし、かつ前記樹脂プレートを、前記凸部と接触する凸部接触部材（１２）としたとき、
前記凸部は、前記凸部形成部材の前記積層方向の表面（３０１，４０１）における、複数の前記ＰＴＣ素子の配置部位をそれぞれ前記積層方向に投影した複数の投影範囲（Ｒ）内にそれぞれ設けられており、
前記凸部接触部材が、全ての前記投影範囲内における前記凸部によって塑性変形した変形部（５１２）を有する、電気式ヒータ（１）。
【請求項３】
通電によって発熱し、横方向（Ｗ）に並んで配置された複数のＰＴＣ素子（２）と、
前記ＰＴＣ素子の、前記横方向に直交する積層方向（Ｈ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備え、
前記電極板を、凸部（３１）を有する凸部形成部材（１１）とし、かつ前記放熱フィンを、前記凸部と接触する凸部接触部材（１２）としたとき、
前記凸部は、前記凸部形成部材の前記積層方向の表面（３０１）における、複数の前記ＰＴＣ素子の配置部位をそれぞれ前記積層方向に投影した複数の投影範囲（Ｒ）内にそれぞれ設けられており、
前記凸部接触部材が、全ての前記投影範囲内における前記凸部によって塑性変形した変形部を有する、電気式ヒータ（１）。
【請求項４】
通電によって発熱し、横方向（Ｗ）に並んで配置された複数のＰＴＣ素子（２）と、
前記ＰＴＣ素子の、前記横方向に直交する積層方向（Ｄ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）の前記積層方向の両端に積層された一対のフレーム（６Ａ，６Ｂ）と、
一対の前記フレームを介して、前記積層体を前記積層方向の両側から押圧する押圧バネ（７）と、を備え、
前記フレームを、凸部（６１）を有する凸部形成部材（１１）とし、かつ前記電極板、前記放熱フィン及び前記樹脂プレートのうちのいずれかを、前記凸部と接触する凸部接触部材（１２）としたとき、
前記凸部は、前記凸部形成部材の前記積層方向の表面（６０１）における、複数の前記ＰＴＣ素子の配置部位をそれぞれ前記積層方向に投影した複数の投影範囲（Ｒ）内にそれぞれ設けられており、
前記凸部接触部材が、全ての前記投影範囲内における前記凸部によって塑性変形した変形部（５１２）を有する、電気式ヒータ（１）。
【請求項５】
通電によって発熱し、横方向（Ｗ）に並んで配置された複数のＰＴＣ素子（２）と、
前記ＰＴＣ素子の、前記横方向に直交する積層方向（Ｄ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）の前記積層方向の両端に積層された一対のフレーム（６Ａ，６Ｂ）と、
一対の前記フレームを介して、前記積層体を前記積層方向の両側から押圧する押圧バネ（７）と、を備え、
前記電極板、前記放熱フィン及び前記樹脂プレートのうちのいずれかを、凸部（３１，４１，５１）を有する凸部形成部材（１１）とし、かつ前記フレームを、前記凸部と接触する凸部接触部材（１２）としたとき、
前記凸部は、前記凸部形成部材の前記積層方向の表面（３０１，４０１，５０１）における、複数の前記ＰＴＣ素子の配置部位をそれぞれ前記積層方向に投影した複数の投影範囲（Ｒ）内にそれぞれ設けられており、
全ての前記投影範囲内における前記凸部が前記凸部接触部材によって塑性変形した変形部（５１１）を有する、電気式ヒータ（１）。
【請求項６】
前記凸部は、前記凸部形成部材と同質の材料で前記凸部形成部材と一体的に設けられている、請求項１〜５のいずれか１項に記載の電気式ヒータ。
【手続補正２】
【補正対象書類名】明細書
【補正対象項目名】発明の名称
【補正方法】変更
【補正の内容】
【発明の名称】電気式ヒータ
【手続補正３】
【補正対象書類名】明細書
【補正対象項目名】０００１
【補正方法】変更
【補正の内容】
【０００１】
本発明は、ＰＴＣ素子に通電を行ったときに発生する熱を利用する電気式ヒータに関する。
【手続補正４】
【補正対象書類名】明細書
【補正対象項目名】０００９
【補正方法】変更
【補正の内容】
【０００９】
本発明は、かかる課題に鑑みてなされたもので、ヒータ性能を向上させることができる電気式ヒータを提供しようとして得られたものである。
【手続補正５】
【補正対象書類名】明細書
【補正対象項目名】００１０
【補正方法】変更
【補正の内容】
【００１０】
本発明の第１態様は、通電によって発熱し、横方向（Ｗ）に並んで配置された複数のＰＴＣ素子（２）と、
前記ＰＴＣ素子の、前記横方向に直交する積層方向（Ｈ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備え、
前記樹脂プレートを、凸部（５１）を有する凸部形成部材（１１）とし、かつ前記電極板又は前記放熱フィンを、前記凸部と接触する凸部接触部材（１２）としたとき、
前記凸部は、前記凸部形成部材の前記積層方向の表面（５０１）における、複数の前記ＰＴＣ素子の配置部位をそれぞれ前記積層方向に投影した複数の投影範囲（Ｒ）内にそれぞれ設けられており、
全ての前記投影範囲内における前記凸部が前記凸部接触部材によって塑性変形した変形部（５１１）を有する、電気式ヒータ（１）にある。
本発明の第２態様は、通電によって発熱し、横方向（Ｗ）に並んで配置された複数のＰＴＣ素子（２）と、
前記ＰＴＣ素子の、前記横方向に直交する積層方向（Ｈ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備え、
前記電極板又は前記放熱フィンを、凸部（３１，４１）を有する凸部形成部材（１１）とし、かつ前記樹脂プレートを、前記凸部と接触する凸部接触部材（１２）としたとき、
前記凸部は、前記凸部形成部材の前記積層方向の表面（３０１，４０１）における、複数の前記ＰＴＣ素子の配置部位をそれぞれ前記積層方向に投影した複数の投影範囲（Ｒ）内にそれぞれ設けられており、
前記凸部接触部材が、全ての前記投影範囲内における前記凸部によって塑性変形した変形部（５１２）を有する、電気式ヒータ（１）にある。
本発明の第３態様は、通電によって発熱し、横方向（Ｗ）に並んで配置された複数のＰＴＣ素子（２）と、
前記ＰＴＣ素子の、前記横方向に直交する積層方向（Ｈ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備え、
前記電極板を、凸部（３１）を有する凸部形成部材（１１）とし、かつ前記放熱フィンを、前記凸部と接触する凸部接触部材（１２）としたとき、
前記凸部は、前記凸部形成部材の前記積層方向の表面（３０１）における、複数の前記ＰＴＣ素子の配置部位をそれぞれ前記積層方向に投影した複数の投影範囲（Ｒ）内にそれぞれ設けられており、
前記凸部接触部材が、全ての前記投影範囲内における前記凸部によって塑性変形した変形部を有する、電気式ヒータ（１）にある。
【手続補正６】
【補正対象書類名】明細書
【補正対象項目名】００１１
【補正方法】変更
【補正の内容】
【００１１】
本発明の第４態様は、通電によって発熱し、横方向（Ｗ）に並んで配置された複数のＰＴＣ素子（２）と、
前記ＰＴＣ素子の、前記横方向に直交する積層方向（Ｄ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）の前記積層方向の両端に積層された一対のフレーム（６Ａ，６Ｂ）と、
一対の前記フレームを介して、前記積層体を前記積層方向の両側から押圧する押圧バネ（７）と、を備え、
前記フレームを、凸部（６１）を有する凸部形成部材（１１）とし、かつ前記電極板、前記放熱フィン及び前記樹脂プレートのうちのいずれかを、前記凸部と接触する凸部接触部材（１２）としたとき、
前記凸部は、前記凸部形成部材の前記積層方向の表面（６０１）における、複数の前記ＰＴＣ素子の配置部位をそれぞれ前記積層方向に投影した複数の投影範囲（Ｒ）内にそれぞれ設けられており、
前記凸部接触部材が、全ての前記投影範囲内における前記凸部によって塑性変形した変形部（５１２）を有する、電気式ヒータ（１）にある。
本発明の第５態様は、通電によって発熱し、横方向（Ｗ）に並んで配置された複数のＰＴＣ素子（２）と、
前記ＰＴＣ素子の、前記横方向に直交する積層方向（Ｄ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）の前記積層方向の両端に積層された一対のフレーム（６Ａ，６Ｂ）と、
一対の前記フレームを介して、前記積層体を前記積層方向の両側から押圧する押圧バネ（７）と、を備え、
前記電極板、前記放熱フィン及び前記樹脂プレートのうちのいずれかを、凸部（３１，４１，５１）を有する凸部形成部材（１１）とし、かつ前記フレームを、前記凸部と接触する凸部接触部材（１２）としたとき、
前記凸部は、前記凸部形成部材の前記積層方向の表面（３０１，４０１，５０１）における、複数の前記ＰＴＣ素子の配置部位をそれぞれ前記積層方向に投影した複数の投影範囲（Ｒ）内にそれぞれ設けられており、
全ての前記投影範囲内における前記凸部が前記凸部接触部材によって塑性変形した変形部（５１１）を有する、電気式ヒータ（１）にある。
【手続補正７】
【補正対象書類名】明細書
【補正対象項目名】００１２
【補正方法】変更
【補正の内容】
【００１２】
本発明の参考態様は、通電によって発熱し、横方向（Ｗ）に並んで配置された複数のＰＴＣ素子（２）と、
前記ＰＴＣ素子の、前記横方向に直交する積層方向（Ｄ）の両側に積層され、前記ＰＴＣ素子に通電するための複数の電極板（３）と、
前記ＰＴＣ素子の前記積層方向の両側に積層され、前記ＰＴＣ素子から伝わる熱を放熱するための複数の放熱フィン（４）と、
前記電極板又は前記放熱フィンの前記積層方向に積層され、極性の異なる前記電極板の間を絶縁するための１つ又は複数の樹脂プレート（５，５Ａ，５Ｂ）と、
前記ＰＴＣ素子、前記電極板、前記放熱フィン及び前記樹脂プレートの積層体（１０，１０Ａ，１０Ｂ）を、前記積層方向の両側から押圧する押圧バネ（７）と、を備える、電気式ヒータを製造する方法において、
前記電極板、前記放熱フィン及び前記樹脂プレートのうちのいずれかを、凸部（３１，４１，５１）を有する凸部形成部材（１１）とし、かつ前記凸部形成部材を除く、前記電極板、前記放熱フィン及び前記樹脂プレートのうちの他のいずれかを、前記凸部と接触する凸部接触部材（１２）としたとき、
前記凸部は、前記凸部形成部材の前記積層方向の表面（３０１，４０１，５０１）における、複数の前記ＰＴＣ素子の配置部位をそれぞれ前記積層方向に投影した複数の投影範囲（Ｒ）内にそれぞれ設け、
前記押圧バネによって、前記積層体を、前記積層方向の両側から押圧する際に、全ての前記投影範囲内における前記凸部と前記凸部接触部材との少なくとも一方を塑性変形させて、全ての前記投影範囲内における前記凸部と前記凸部接触部材との少なくとも一方に変形部（５１１，５１２）を形成する、電気式ヒータ（１）の製造方法にある。
【手続補正８】
【補正対象書類名】明細書
【補正対象項目名】００１３
【補正方法】変更
【補正の内容】
【００１３】
前記第１〜第３態様の電気式ヒータは、電極板、放熱フィン及び樹脂プレートのうちの互いに接触する部材の少なくとも一方に、塑性変形による変形部が形成されていることにより、各ＰＴＣ素子が電極板及び放熱フィンに押圧される力を、全てのＰＴＣ素子において極力均等にする工夫をしている。具体的には、電極板、放熱フィン及び樹脂プレートのうちのいずれかを、凸部を有する凸部形成部材とするとともに、他のいずれかを凸部と接触する凸部接触部材とする。そして、凸部は、凸部形成部材の積層方向の表面における、複数のＰＴＣ素子の配置部位を積層方向に投影した複数の投影範囲内にそれぞれ設けられており、各投影範囲内における凸部と凸部接触部材との少なくとも一方は、塑性変形による変形部を有する。
【手続補正９】
【補正対象書類名】明細書
【補正対象項目名】００１５
【補正方法】変更
【補正の内容】
【００１５】
こうして、前記第１〜第３態様の電気式ヒータにおいては、凸部と凸部接触部材との少なくとも一方の塑性変形を利用することにより、ＰＴＣ素子、電極板、放熱フィン、樹脂プレートのそれぞれに生じた製造上の寸法誤差、変形等によって、ＰＴＣ素子が配置された横方向の各位置における、積層方向の厚みが互いに異なった場合でも、全てのＰＴＣ素子と電極板及び放熱フィンとが極力同等の力で押圧されて接触する状態を形成することができる。なお、ここでいう「積層方向の厚み」とは、各ＰＴＣ素子の投影範囲において、ＰＴＣ素子、電極板、放熱フィン及び樹脂プレートの単独の積層方向の厚みを合計した厚みのことをいう。
【手続補正１０】
【補正対象書類名】明細書
【補正対象項目名】００１６
【補正方法】変更
【補正の内容】
【００１６】
これにより、電極板から全てのＰＴＣ素子への通電、及び全てのＰＴＣ素子から放熱フィンへの熱伝導をより効果的に行うことができる。それ故、前記第１〜第３態様の電気式ヒータによれば、そのヒータ性能をさらに向上させることができる。
【手続補正１１】
【補正対象書類名】明細書
【補正対象項目名】００１７
【補正方法】変更
【補正の内容】
【００１７】
前記第４、第５態様の電気式ヒータにおいては、凸部形成部材及び凸部接触部材の中にフレームが含まれる。その他の構成は、前記第１〜第３態様の電気式ヒータと同様である。それ故、前記第４、第５態様の電気式ヒータによれば、前記第１〜第３態様の電気式ヒータの場合と同様に、そのヒータ性能をさらに向上させることができる。